(57)【要約】【課題】不正行為により前面枠が開放されたときのみその前面枠の開放動作を検知して混乱をなくし、処置が迅速に行なえるようにした遊技機を提供する。【解決手段】前面枠１７の開放側の後面に後方へ突出しかつシリンダー錠６１の錠軸６４に設けられたカム部材６５と連係して該カム部材６５の回動動作に伴い上下に動作するロック部材８３を設け、遊技機本体Ｐ１には前後方向へ摺動しかつカム部材の回動してない状態におけるロック部材と噛み合うスライド部材９１と該スライド部材９１が摺動したときその動作を検知する検出手段８９とを設け、前面枠１７を正常に開けるときロック部材８３とスライド部材９１との噛み合いが外れ、前面枠１７を不正に開けるときはスライド部材９１がロック部材８３により引かれ該スライド部材９１の摺動動作が検出手段８９により検出されるようにした。【選択図】図８
2010200834.tif 000002
【特許請求の範囲】
【請求項１】
遊技機本体の前面に一側が軸着されると共にシリンダー錠による施錠又は開錠によって自在に開閉する前面枠を配設してなる遊技機であって、
前記前面枠の開放側の後面に後方へ突出しかつ前記シリンダー錠の錠軸に設けられたカム部材と連係して該カム部材の回動動作に伴い上下に動作するロック部材を設け、
前記遊技機本体には前後方向へ摺動しかつ前記カム部材の回動してない状態における前記ロック部材と噛み合うスライド部材と該スライド部材が摺動したときその動作を検知する検出手段とを設け、
前記前面枠を正常に開錠して開けるとき前記カム部材の回動動作により前記ロック部材と前記スライド部材との噛み合いが外れ、前記前面枠を不正に開けるときは前記スライド部材がロック部材と噛み合ったまま引かれ該スライド部材の摺動動作が前記検出手段により検出されるようにしたことを特徴とする遊技機。
【発明の詳細な説明】
【技術分野】
【０００１】
本発明は、遊技機本体の前面に軸着される前面枠を故意に開放して行なわれる不正行為を検知し防止するようにした遊技機に関するものである。
【背景技術】
【０００２】
従来、遊技機にはその代表的なものとしてパチンコ遊技機がある。該パチンコ遊技機は長方形枠状の機枠と該機枠の前面一側に開閉自在に軸着され遊技盤を配置固定する遊技盤取付枠とにより遊技機本体を形成しており、該遊技機本体における遊技盤取付枠の前面に遊技盤の遊技部前面を覆う前面枠が開閉自在に軸着される。遊技盤取付枠の開放側には、シリンダー錠とパチンコ遊技機の前側から該シリンダー錠の鍵穴に鍵を差し込みその錠軸を回動動作させることにより動作する施錠装置とが設けられている。一般に、前記鍵を鍵穴の前面に向かって一方へ回動させると機枠に対して遊技盤取付枠が開錠されて前側へ開き、鍵を他方へ回動させると遊技盤取付枠に対し前面枠が開錠されて前側へ開くようになっている（例えば、特許文献１参照。）。
【０００３】
ところで、前面枠で覆われる遊技盤前面の遊技部はとかく不正が行なわれ易く、前記特許文献１に係るパチンコ遊技機にあっては、例えばパチンコホールの遊技中に前面枠が施錠されているにも拘わらず、該前面枠をバールなどで故意に抉じ開けることにより不正行為が行なわれる場合があるが、その行為を発見するのは容易ではなかった。このため、前面枠の開放動作を検出手段により常に検知するようにして、不正行為を防止するようにしている（例えば、特許文献２参照。）。
【先行技術文献】
【特許文献】
【０００４】
【特許文献１】特開２００７−３０１１２４号公報（第５−６頁、図１）
【特許文献２】特開平１１−１３７７７７号公報（第３−５頁、図２、図５）
【発明の概要】
【発明が解決しようとする課題】
【０００５】
前記特許文献２に係るパチンコ遊技機にあっては、不正行為を行なうべく前面枠を故意に開放したときにその開放状態を検知してその信号を送信し、例えば警報ランプを点灯したりパチンコホールの従業員に通報したりしてその処置に当たるようにしている。しかしながら、逆に遊技中の球詰まりなどのトラブルを解消すべく従業員が鍵を用いて正常に前面枠を開放した場合も、その前面枠の開放動作は検知され信号が送られるので、その区別が付き難いといった課題があった。
【０００６】
そこで、本発明は上記課題を解決すべくなされたもので、不正行為により前面枠が開放されたときのみその前面枠の開放動作を検知するようにして、混乱をなくし不正行為に対する処置が迅速に行なえるようにした遊技機を提供することを目的とするものである。
【課題を解決するための手段】
【０００７】
かかる目的を達成するため本発明の遊技機は、遊技機本体の前面に一側が軸着されると共にシリンダー錠による施錠又は開錠によって自在に開閉する前面枠を配設してなる遊技機であって、前記前面枠の開放側の後面に後方へ突出しかつ前記シリンダー錠の錠軸に設けられたカム部材と連係して該カム部材の回動動作に伴い上下に動作するロック部材を設け、前記遊技機本体には前後方向へ摺動しかつ前記カム部材の回動してない状態における前記ロック部材と噛み合うスライド部材と該スライド部材が摺動したときその動作を検知する検出手段とを設け、前記前面枠を正常に開錠して開けるとき前記カム部材の回動動作により前記ロック部材と前記スライド部材との噛み合いが外れ、前記前面枠を不正に開けるときは前記スライド部材がロック部材と噛み合ったまま引かれ該スライド部材の摺動動作が前記検出手段により検出されるようにしたことを特徴とする。
【発明の効果】
【０００８】
本発明に係る遊技機は、前面枠の開放側の後側に後方へ突出しかつシリンダー錠の錠軸に設けられたカム部材と連係して該カム部材の回動動作に伴い上下に動作するロック部材を設け、遊技機本体には前後方向へ摺動しかつカム部材の回動してない状態におけるロック部材と噛み合うスライド部材とロック部材により引かれて該スライド部材が摺動したときその動作を検知する検出手段とを設けた構成からなる。そして、遊技機は、前面枠を正常に開錠して開けるときカム部材の回動動作によりロック部材とスライド部材との噛み合いが外れ、前面枠を不正に開けるときはスライド部材がロック部材と噛み合ったまま引かれ該スライド部材の摺動動作が検出手段により検出されるようにしたので、不正行為により前面枠が開放されたときのみその前面枠の開放動作が検知されることになり、混乱をなくすことができ不正行為に対する処置が迅速に行なえるという効果が有る。
【０００９】
また、シリンダー錠に鍵を差し込んでカム部材を回動させ前面枠を開放しない限り、前記前面枠の後面に設けられたロック部材と前記遊技機本体に設けられたスライド部材とは噛み合っているので、不正行為を行うべく前面枠を故意に開放しようとしてもロック部材とスライド部材が支えて容易に開放できない。よって、これにより不正行為が直接行なわれることが防止される。
【図面の簡単な説明】
【００１０】
【図１】本発明に係るパチンコ遊技機の斜視図。
【図２】同前面枠と遊技盤取付枠を開いた状態の斜視図。
【図３】遊技盤取付枠の施錠装置の斜視図。
【図４】同分解斜視図。
【図５】前面枠の下部の背面図。
【図６】不正検出装置部位の拡大斜視図。
【図７】パチンコ遊技機の一部拡大平面断面図。
【図８】同不正検出装置部位を示す一部拡大平面断面図。
【図９】同作用を示す一部拡大平面断面図。
【図１０】鍵を操作したときの作用を示すパチンコ遊技機の一部拡大側面断面図。
【図１１】鍵を操作したときの作用を示すパチンコ遊技機の一部拡大側面断面図。
【発明を実施するための最良の形態】
【００１１】
以下、本発明に係る遊技機の最良の実施の形態を図面に基づき詳しく説明する。本発明は、パチンコ遊技機、アレンジボール遊技機、雀球遊技機、パチスロ機等の遊技機に適用できるが、このうち、パチンコ遊技機に適用される場合について説明する。図１は本発明に係るパチンコ遊技機の斜視図である。パチンコ遊技機Ｐは縦長長方形状の金属製の機枠１を有し、該機枠１の前面に一側を軸着され自在に開閉する遊技盤取付枠２が配設される。該遊技盤取付枠２には、その前側から遊技盤４が着脱自在に配置される。また、遊技盤４の下方であって遊技盤取付枠２の前面に打球発射機構（図示せず。）が設けられる。本発明では、前記機枠１と遊技盤取付枠２とにより遊技機本体Ｐ１を構成するものとする。
【００１２】
前記遊技盤４の前面に、渦巻き状に敷設された内・外側ガイドレール６ａ，６ｂにより囲われるようにして遊技部４ａが形成される。該遊技部４ａには、中央上部に文字、数字等の図柄を変動表示する電子ディスプレー７を備えた大型の変動表示装置８が装着される。また、その下方に、第一・第二始動入賞口９ａ，９ｂがそれぞれ上下に位置して配設される。第一始動入賞口９ａは、遊技部４ａに打ち込まれた遊技球であるパチンコ球が入賞することにより該パチンコ球を電気的に検出する。また、第二始動入賞口９ｂは左右に起立または逆ハの字状に傾動する一対の開閉翼１０，１０を有し、同じく遊技部４ａに打ち込まれた遊技球が、変動表示装置８の一側に配置される通過チャッカー１１を通過して検出されかつその検出によって発生するくじに当たると、一対の開閉翼１０，１０が短い時間１回開くようになっており、その間に遊技球としてのパチンコ球が入賞すると、該パチンコ球を電気的に検出する。そして、これら第一・第二始動入賞口９ａ，９ｂに入賞したパチンコ球が電気的に検出されると、前記電子ディスプレー７の図柄が変動を開始する。
【００１３】
前記第一・第二始動入賞口９ａ，９ｂの下方に、開閉扉１２ａが前側へ傾動して一度に多くの入賞球を発生させる大型の大入賞口１２が配設される。なお、前記第一・第二始動入賞口９ａ，９ｂに入賞して検出されかつその検出によって発生するくじに当たると、前記電子ディスプレー７に特定の当り図柄が表示されて大当りが発生し、前記開閉扉１２ａが所定時間（例えば約３０秒または大入賞口１２が１０個の入賞球を検出するまで）開放し、これが連続して所定回数（例えば１５回）繰り返される。遊技部４ａの下部であって第一・第二始動入賞口９ａ，９ｂの両側に、普通入賞口１３，１３が設けられている。１４は内側ガイドレール６ａの中央下部に設けられ、遊技部４ａに打ち込まれるも入賞球となり得なかったパチンコ球をパチンコ遊技機Ｐの外部へ排出するためのアウト球口である。
【００１４】
遊技盤取付枠２の前面に、遊技盤４の遊技部４ａが臨む透窓１６が開設された前面枠１７が配設される。該前面枠１７は、遊技盤取付枠２の前面一側に軸着され自在に開閉するようになっている。また、該前面枠１７はその横幅が遊技盤取付枠２の横幅と同じ寸法を有し、透窓１６にはガラス板または合成樹脂板からなる透明板１８が装着される。また、前面枠１７の下部に、賞球又は貸し球としてのパチンコ球を貯留し前記打球発射機構の発射部へ供給するための球受皿１９が装着されている。その一側で前面枠１７の前面に、打球発射機構から発射されるパチンコ球の打球力を調整するための打球力調整ハンドル２０が設けられる。
【００１５】
次に、施錠装置について説明する。図２に示すように遊技盤取付枠２における開放側の外側面に遊技盤取付枠の施錠装置２１が組み付けられ、前面枠１７の開放側の後面に前面枠の施錠装置２２が組み付けられている。これら施錠装置２１，２２は金属製であって、前後方向で互いにほぼ対向位置することになる。また、機枠１における開放側の側板１ａ内面に、その上下部に位置して側面コ字型の掛止片１５，１５が一体にかつ水平に突設されている。これは遊技盤取付枠の施錠装置２１における後記する後向係止片４３，４７を掛け止めさせるためのものである。
【００１６】
図３、図４に示すように遊技盤取付枠の施錠装置２１は、遊技盤取付枠２における開放側の外側面に固着される平断面角筒状の上下に長い鉛直固定枠２３と、該鉛直固定枠２３内に収納され前面枠１７に施錠する一対の上・下部前面枠施錠杆２４ａ，２４ｂと、同じく鉛直固定枠２３内に収納され機枠１に施錠する一対の上・下部取付枠施錠杆２５ａ，２５ｂと、同じく鉛直固定枠２３内に収納されこれら上・下部前面枠施錠杆２４ａ，２４ｂと上・下部取付枠施錠杆２５ａ，２５ｂをそれぞれ動作させる作動杆２６と、同じく鉛直固定枠２３内に収納され上・下部前面枠施錠杆２４ａ，２４ｂと上・下部取付枠施錠杆２５ａ，２５ｂを手動で作動させる手操作杆２７と、からなる。なお、鉛直固定枠２３は、更に内側の内枠カバー２３ａと外側の外枠カバー２３ｂとの二部材により形成される。そして、外枠カバー２３ｂ側から上・下部前面枠施錠杆２４ａ，２４ｂ、作動杆２６、上・下部取付枠施錠杆２５ａ，２５ｂ、手操作杆２７の順で配置される。
【００１７】
上部前面枠施錠杆２４ａは、前端縁の上・下部に前方へ水平に突設され先端に下側を向く鉤状の前向係止片２８，２８が設けられ、上・下部に縦長孔２９ａ，２９ｂが開設されると共に両縦長孔２９ａ，２９ｂにそれぞれ内・外枠カバー２３ａ，２３ｂ間に差し渡された水平な一対の上部ガイドピン３０ａ，３０ｂが挿通され、これら上部ガイドピン３０ａ，３０ｂに沿って上下動するようになっている。また、中寄り位置にバネ通孔３１が開設され、下端部に掛止孔３２が開設されている。下部前面枠施錠杆２４ｂは、前端縁の下部のみに前方へ水平に突設され先端に下側を向く前向係止片３３が設けられ、上下端部に縦長孔３４ａ，３４ｂが開設されると共に両縦長孔３４ａ，３４ｂにそれぞれ内・外枠カバー２３ａ，２３ｂ間に差し渡された水平な一対の下部ガイドピン３５ａ，３５ｂが挿通され、これら下部ガイドピン３５ａ，３５ｂに沿って上下動する。また、同じく中寄りの上下位置に掛止孔３６とバネ通孔３７が開設されている。
【００１８】
作動杆２６には、前端縁における中央より少し下位置に前方へ水平に突出する係合突起３８が設けられる。また、作動杆２６の上端と下端から少し中央より位置にそれぞれ内枠カバー２３ａ側へ突出する内曲片３９ａ，３９ｂが設けられ、作動杆２６の下端と上端から少し中央より位置にそれぞれ外枠カバー２３ｂ側へ突出する外曲片４０ａ，４０ｂが設けられている。両内曲片３９ａ，３９ｂはそれぞれ上・下部取付枠施錠杆２５ａ，２５ｂを作動させるためのものであり、両外曲片４０ａ，４０ｂは上・下部前面枠施錠杆２４ａ，２４ｂを作動させるためのものである。更に、作動杆２６には、上端の内曲片３９ａとその下方の外曲片４０ａ及び下端の外曲片４０ｂとその上方の内曲片３９ｂの間にそれぞれ縦長孔４１ａ，４１ｂが開設され、これら縦長孔４１ａ，４１ｂに両上部ガイドピン３０ａ，３０ｂのうちの下に位置する上部ガイドピン３０ｂと両下部ガイドピン３５ａ，３５ｂのうちの上に位置する下部ガイドピン３５ａがそれぞれ挿通される。これにより、作動杆２６がこれら上部ガイドピン３０ｂと下部ガイドピン３５ａに沿って上下動する。
【００１９】
上部取付枠施錠杆２５ａは、後端縁の上部に後方へ水平に突設され先端に上側を向く鉤状の後向係止片４３が設けられ、上下端部に縦長孔４４ａ，４４ｂが開設されると共に両縦長孔４４ａ，４４ｂにそれぞれ一対の前記上部ガイドピン３０ａ，３０ｂが挿通される。そして、上部取付枠施錠杆２５ａがこれら上部ガイドピン３０ａ，３０ｂに沿って上下動する。また、中央よりの上下位置にバネ通孔４５と掛止孔４６がそれぞれ開設されている。下部取付枠施錠杆２５ｂは、後端縁の下部に後方へ水平に突設され先端に上側を向く後向係止片４７が設けられる。下部取付枠施錠杆２５ｂの上下端部に縦長孔４８ａ，４８ｂが開設されると共に、両縦長孔４８ａ，４８ｂにそれぞれ前記両下部ガイドピン３５ａ，３５ｂが挿通される。これにより、下部取付枠施錠杆２５ｂがこれら下部ガイドピン３５ａ，３５ｂに沿って上下動する。また、下部取付枠施錠杆２５ｂの中央にバネ通孔４９が開設されている。
【００２０】
手操作杆２７は、後端縁の下部に後方へ突設する手動摘み５０が設けられている。また、手操作杆２７の上端部と中央より少し下方位置に連結孔５１ａ，５１ｂが開設される。上の連結孔５１ａに前記作動杆２６における上端の内曲片３９ａが嵌入し、下の連結孔５１ｂに作動杆２６における下の内曲片３９ｂが嵌入し、作動杆２６と共に手操作杆２７が連動するようにしている。手操作杆２７の上下部にもそれぞれ縦長孔５２ａ，５２ｂが開設され、上部の縦長孔５２ａに前記両上部ガイドピン３０ａ，３０ｂのうちの下の上部ガイドピン３０ｂが挿通され、下部の縦長孔５２ｂに前記両下部ガイドピン３５ａ，３５ｂのうちの上の下部ガイドピン３５ａが挿通される。これにより、手操作杆２７が上・下部ガイドピン３０ｂ，３５ａに沿って上下動することになる。
【００２１】
そして、上・下部前面枠施錠杆２４ａ，２４ｂ、作動杆２６、上・下部取付枠施錠杆２５ａ，２５ｂ、手操作杆２７をこの順で外枠カバー２３ｂ側へ重ね合わせ、反対側に内枠カバー２３ａを重ねて互いに挟むようにして一体に組み付ける。この際、上部前面枠施錠杆２４ａにおけるバネ通孔３１の上端と上部取付枠施錠杆２５ａにおけるバネ通孔４５の下端との間に引っ張りコイルバネ５３が介装される。同様に、下部前面枠施錠杆２４ｂにおけるバネ通孔３７の上端と下部取付枠施錠杆２５ｂにおけるバネ通孔４９の下端との間にも引っ張りコイルバネ５３が介装される。これにより、上・下部前面枠施錠杆２４ａ，２４ｂは引っ張りコイルバネ５３の弾性力によって常に下方へ付勢され、上・下部取付枠施錠杆２５ａ，２５ｂは常に上方へ付勢されている。また、上・下部前面枠施錠杆２４ａ，２４ｂにおける各前向係止片２８，２８，３３が、鉛直固定枠２３の前面に開設された第１開口５４から前方へ突出している。作動杆２６の係合突起３８も、鉛直固定枠２３の前面に開設された第２開口５５から前方へ突出している。一方、上・下部取付枠施錠杆２５ａ，２５ｂにおける各後向係止片４３，４７は鉛直固定枠２３の後面に開設された第３開口５６から後方へ突出しており、手操作杆２７における手動摘み５０も鉛直固定枠２３の後面に開設された第４開口５７から後方へ突出している。
【００２２】
更に、作動杆２６における上端縁の内曲片３９ａが上部取付枠施錠杆２５ａにおける掛止孔４６の下端に当接し、下の内曲片３９ｂが下部取付枠施錠杆２５ｂの上端縁に当接するようになっている。これにより、作動杆２６の下動と共に上・下部取付枠施錠杆２５ａ，２５ｂが引っ張りコイルバネ５３の付勢に抗して下動する。因みに、作動杆２６が上動しても各内曲片３９ａ，３９ｂは前記同じ個所に当接することはないので、上・下部取付枠施錠杆２５ａ，２５ｂが上動することはない。また、作動杆２６における上の外曲片４０ａが上部前面枠施錠杆２４ａにおける掛止孔３２の上端に当接し、下端縁の外曲片４０ｂが下部前面枠施錠杆２４ｂにおける掛止孔３６の上端に当接するようになっている。これにより、作動杆２６の上動と共に上・下部前面枠施錠杆２４ａ，２４ｂが引っ張りコイルバネ５３の付勢に抗して上動する。因みに、作動杆２６が下動しても各外曲片４０ａ，４０ｂは前記同じ個所に当接することはないので、上・下部前面枠施錠杆２４ａ，２４ｂが下動することはない。手操作杆２７は作動杆２６と連結されているので、手操作杆２７は作動杆２６と同じ動作を行う。
【００２３】
図２、図５に示すように前面枠の施錠装置２２は、前面枠１７の後面の開放側に固着される縦長の鉛直固定プレート５８を備えている。そして、該鉛直固定プレート５８における上部と中央部と下部とに位置させて、それぞれ後方へ突出する平面コ字形の屈曲凸部５９が設けられ、該各屈曲凸部５９の後面に前記上・下部前面枠施錠杆２４ａ，２４ｂの各前向係止片２８，２８，３３が係止し得る係止孔６０が開設されている。また、鉛直固定プレート５８の下部には、シリンダー錠６１が装着される。該シリンダー錠６１は前端面の鍵穴６２が前面枠１７の前側に露出する錠本体６１ａと該錠本体６１ａの後端部に固着される取付片部６１ｂとからなり、該取付片部６１ｂを前面枠１７の後面にあてがって螺子６３で固着される。更に、シリンダー錠６１の錠軸６４が錠本体６１ａの後方へ突出しており、該錠軸６４の後端に上下の両端部を上・下カム片６５ａ，６５ｂとした略Ｃ形のカム部材６５が固着され、両上・下カム片６５ａ，６５ｂは外側すなわち前面枠１７の外周縁側を向いている。
【００２４】
鉛直固定プレート５８の下部であってシリンダー錠６１の一側外周縁側に、該鉛直固定プレート５８に沿って上下方向に摺動する可動部材６６が配置される。該可動部材６６は平断面がクランク状をなし、前面枠１７の後面と平行な鉛直固定プレート５８の底面に接する上部平板部６７ａに上下方向に長い上部ガイド孔６８が開設され、該上部ガイド孔６８に鉛直固定プレート５８に植設したガイドピン６９が挿通される。また、鉛直固定プレート５８の底面に接する下部平板部６７ｂにも、上下方向に長い第１下部ガイド孔７０が開設される。該下部平板部６７ｂの後面には第１下部ガイド孔７０を覆うようにして補助板７１が重ねられ、該補助板７１にも第１下部ガイド孔７０と連通する第２下部ガイド孔７２が開設される。そして、これら第１・第２下部ガイド孔７０，７２に鉛直固定プレート５８に植設したガイドピン７３が挿通される。これにより、可動部材６６が上下のガイドピン６９，７３に沿って上下方向に摺動することになる。
【００２５】
補助板７１にあっては、その上端一側に上フック７４が設けられ、これと対応してその下方の鉛直固定プレート５８に下フック７５が設けられ、これら上・下フック７４，７５間に引っ張りコイルバネ７６が張設される。また、補助板７１の他側に上フック７７が設けられ、これと対応してその下方の可動部材６６に下フック７８が設けられ、これら上・下フック７７，７８間にも引っ張りコイルバネ７９が張設される。また、可動部材６６における上・下部平板部６７ａ，６７ｂと直交する起立板部６７ｃに、前記錠軸６４の後端に固着されたカム部材６５の上・下カム片６５ａ，６５ｂと対向位置して該上・下カム片６５ａ，６５ｂがそれぞれ錠軸６４の回動と共に突入し係合し得る上・下係合凹部８０ａ，８０ｂが設けられる。更に、その後方であって可動部材６６における上・下部平板部６７ａ，６７ｂと平行をなす後側板部６７ｄに、連結用切欠部８１が設けられる。該連結用切欠部８１には、前記遊技盤取付枠の施錠装置２１における作動杆２６から前方へ突出した係合突起３８の先端部が挿入される。
【００２６】
そこで、例えばパチンコ遊技機Ｐの前側からシリンダー錠６１の鍵穴６２に鍵８２を差し込み、該鍵穴６２を正面から見て時計回り方向に鍵８２を回動させると、錠軸６４後端のカム部材６５が同方向へ回動し該カム部材６５の上カム片６５ａが可動部材６６における上係合凹部８０ａに係合して該可動部材６６を下動させる。これにより、連結用切欠部８１に挿入された係合突起３８と共に遊技盤取付枠の施錠装置２１における作動杆２６が引っ張りコイルバネ５３の付勢に抗して下動する。該作動杆２６が下動すると、機枠１の各掛止片１５から後向係止片４３，４７が外れて該機枠１に対し前面枠１７と共に遊技盤取付枠２が開錠される。また、前記鍵８２をその鍵穴６２を正面から見て反時計回り方向に回動させると、錠軸６４後端のカム部材６５が同方向へ回動し該カム部材６５の下カム片６５ｂが可動部材６６における下係合凹部８０ｂに係合して該可動部材６６を上動させる。これにより、連結用切欠部８１に挿入された係合突起３８と共に遊技盤取付枠の施錠装置２１における作動杆２６が引っ張りコイルバネ５３の付勢に抗して上動する。該作動杆２６が上動すると、上・下係合凹部８０ａ，８０ｂから前向係止片２８，２８，３３が外れて遊技盤取付枠２に対して前面枠１７が開錠される。
【００２７】
図６に示すようにシリンダー錠６１の下方であって前記可動部材６６の後面に、後方へ水平に突出するロック部材８３が設けられる。該ロック部材８３の後端には外側すなわち機枠１の側板１ａ側へ直角に屈曲する鉤片８３ａが支軸９９により軸着され、該鉤片８３ａが水平面内で自在に回動するようになっている。ただし、直角位置から後側へは回動し得ない構成が採られる。また、鉤片８３ａの下部前面とロック部材８３の下端から下方へ突出された受片１００との間に圧縮コイルばね１０１が介装される。これにより、鉤片８３ａは常に後方すなわち可動部材６６とは反対側へ付勢されることになる。該ロック部材８３と対向位置して機枠１における側板１ａの内面に、前面枠１７が故意に開放されるのを検知する不正検出装置８４が配設される。不正検出装置８４は、前記側板１ａの内面にビス８５止めされる取付基板８６と、該取付基板８６にビス８７止めされる保持枠８８と、該保持枠８８の後方に位置し同じく取付基板８６に設けられる検出手段としての近接スイッチ８９とから概ね構成される。該保持枠８８の上部に前後方向にかつ水平に貫設される保持孔９０が形成され、該保持孔９０に前後方向に沿って水平に摺動するスライド部材９１が挿通される。該スライド部材９１は、金属製であってその前端に内側すなわちロック部材８３側へ水平に屈曲し該ロック部材８３の鉤片８３ａと噛み合う鉤部９１ａが設けられ、後端には該鉤部９１ａと同方向へ屈曲する検知板９１ｂが設けられている。また、スライド部材９１の一側面と保持枠８８の上部との間に引っ張りコイルバネ９２が張設され、該スライド部材９１は引っ張りコイルバネ９２により常に後方へ付勢され停止している。近接スイッチ８９は取付基板８６から突設した支持板８６ａの前面に取り付けられ、該近接スイッチ８９の検知部８９ａと検知板９１ｂとの間は所定の間隔に保たれている。
【００２８】
スライド部材９１が常態で停止しているときは、ロック部材８３後端の鉤片８３ａとスライド部材９１前端の鉤部９１ａとが互いに噛み合っている。そこで、例えばこのまま遊技盤取付枠２に対して前面枠１７を前側へ開放しようとすると、前記鉤片８３ａと鉤部９１ａが当接してロック部材８３と共にスライド部材９１も引っ張りコイルバネ９２の付勢に抗して前側へ引かれる。これにより、近接スイッチ８９の検知部８９ａと検知板９１ｂとの間隔が広がり、これを近接スイッチ８９が検知する。検知信号はホールコンピュータ（図示せず。）に送信され、前面枠１７が開放されたことを知らせる。スライド部材９１が引っ張りコイルバネ９２の付勢に抗して移動できる距離は、前面枠１７が故意に開放されて不正が行なわれない範囲で適宜選ばれる。また、可動部材６６が上動すると、上下方向で前記鉤片８３ａと鉤部９１ａが互いに外れ、この状態で前面枠１７が開いてもスライド部材９１は停止しており、前面枠１７の開放動作が検出されることはない。
【００２９】
前面枠１７を前側へ撓ませて行なわれる不正行為を防止するため、図５に示すように前面枠１７後面の下部中央に撓み防止板９３が配置される。該撓み防止板９３は、支軸９４によりほぼ中央部で前面枠１７に軸着され、該前面枠１７の後面に沿って自在に回動するようになっている。そして、常には鉛直方向に対して傾斜しており、上端部に切欠凹部９５が設けられる。また、撓み防止板９３の下端部と前面枠１７の後面との間に引っ張りコイルバネ９６が張設され、撓み防止板９３の下端部側を常に下方へ付勢するようにしている。下端部側が下方へ付勢され停止している状態では、上端部の切欠凹部９５が上昇して遊技盤取付枠２の下部前面に一体に設けた金属製の係留杆９７に係合する。すなわち、該係留杆９７の下面には凹溝９７ａが設けられ、撓み防止部材９３の切欠凹部９５が凹溝９７ａに係合することになる。
【００３０】
前記撓み防止板９３における下端部の上端縁にプッシュプルワイヤ９８の一端が接続される。該プッシュプルワイヤ９８の他端は前記下動部材６６に接続されている。そこで、可動部材６６の上動と共にプッシュプルワイヤ９８が可動部材６６側へ引かれると、撓み防止板９３の下端部側が前記引っ張りコイルバネ９６の付勢に抗して上方へ回動し、係留杆９７の凹溝９７ａから撓み防止板９３の切欠凹部９５が外れることになる。よって、前面枠１７が閉じられた状態では、撓み防止板９３における上端部の切欠凹部９５が遊技盤取付枠２の下部前面に突設された係留杆９７の凹溝９７ａに係合しており、この状態では、前面枠１７の前側への撓みが防止されるので、これによる不正が防止される。一方、パチンコホールの従業員が鍵８２をシリンダー錠６１に差し込み反時計回り方向へ回動させ前面枠１７を正常に開放するときは、図５鎖線に示すように可動部材６６の上動動作と共にプッシュプルワイヤ９８を介して撓み防止板９３の下端部が上方へ回動し、係留杆９７の凹溝９７ａと切欠凹部９５との係合が外れる。このようにして、前面枠１７の開放動作を支障なく行なえるようにしている。
【００３１】
本発明に係るパチンコ遊技機Ｐは上記構成からなり、次に作用を説明する。まず、パチンコ遊技機Ｐがパチンコホールに設置されている常態では、図７、図１０実線に示すように機枠１の開放側の側板１ａの内側面に設けられた掛止片１５に遊技盤取付枠の施錠装置２１における後向係止片４３，４７が係合し、遊技盤取付枠２が機枠１に施錠される。また、遊技盤取付枠の施錠装置２１における前向係止片２８，２８，３３が前面枠の施錠装置２２における鉛直固定プレート５８の係止孔６０に係合して、前面枠１７が遊技盤取付枠２に施錠されている。この状態では、図８に示すように可動部材６６における後側板部６７ｄから後方へ突出するロック部材８３後端の鉤片８３ａとスライド部材９１前端の鉤部９１ａとが互いに噛み合う位置で配置され停止している。また、撓み防止板９３は図５実線に示すように引っ張りコイルバネ９６の付勢により下端部側が下方に位置し、上端部切欠凹部９５が遊技盤取付枠２の下部前面に設けられた係留杆９７の凹溝９７ａに係合している。よって、遊技盤取付枠２及び前面枠１７はいずれも正常な状態で開放できなくなっている。
【００３２】
そこで、遊技盤取付枠２に対して前面枠１７を正常に開錠する場合は、図１０矢印方向に示すようにパチンコ遊技機Ｐの前側からシリンダー錠６１の鍵穴６２に鍵８２を差し込み、該鍵穴６２を前側から見て反時計回り方向に回動させる。これにより、錠軸６４後端のカム部材６５が同じく反時計方向へ回動し、前面枠の施錠装置２２における可動部材６６が上動する。同時に、遊技盤取付枠の施錠装置２１における作動杆２６が引っ張りコイルバネ５３の付勢に抗して上動する。更に、作動杆２６の上下部に設けられた外当板４０ａ，４０ｂがそれぞれ上・下部前面枠施錠杆２４ａ，２４ｂを引っ張りコイルバネ５３の付勢に抗して上動させる。そして、図１０鎖線に示すように上・下部前面枠施錠杆２４ａ，２４ｂの前向係止片２８，２８，３３が上昇して鉛直固定プレート５８の係止孔６０との係合が外れ、前面枠１７を開放することができるようになる。この際、可動部材６６に設けられたロック部材８３後端の鉤片８３ａと不正検出装置８４におけるスライド部材９１先端の鉤部９１ａとは外れており（ロック部材８３後端の鉤片８３ａがスライド部材９１先端の鉤部９１ａより上方に位置する。）、その前面枠１７の開放動作に支障を来たす恐れはない。
【００３３】
逆に、開放された前面枠１７を閉じる場合は、前面枠１７をそのまま遊技盤取付枠２側へ押し付ける。これにより、前記前向係止片２８，２８，３３がそれぞれ各係止孔６０に上側から自動的に係合し、前面枠１７が遊技盤取付枠２に施錠され閉じることになる。この際、ロック部材８３後端の鉤片８３ａとスライド部材９１先端の鉤部９１ａとが当接するが、ロック部材８３の鉤片８３ａは圧縮コイルバネ１０１の付勢に抗して逃げるように回動するので、互いに通過した後に鉤片８３ａが圧縮コイルバネ１０１の付勢により元の位置に復帰してスライド部材９１の鉤部９１ａと噛み合うことになる。よって、その前面枠１７を閉じる動作に支障を来たす恐れはない。
【００３４】
機枠１に対して遊技盤取付枠２を正常に開錠する場合は、図１１矢印方向に示すようにパチンコ遊技機Ｐの前側からシリンダー錠６１の鍵穴６２に鍵８２を差し込み、該鍵８２を該鍵穴６２を正側から見て時計回り方向に回動させる。これにより、錠軸６４後端のカム部材６５が同じく時計回り方向へ回動し、前面枠の施錠装置２２における可動部材６６が下動する。同時に、遊技盤取付枠の施錠装置２１における作動杆２６が引っ張りコイルバネ５３の付勢に抗して下動する。更に、作動杆２６の上下部に設けられた内当板３９ａ，３９ｂがそれぞれ上・下部取付枠施錠杆２５ａ，２５ｂを引っ張りコイルバネ５３の付勢に抗して下動させる。そして、図１１鎖線に示すように上・下部取付枠施錠杆２５ａ，２５ｂの後向係止片４３，４７が下動して掛止片１５との係合が外れ、遊技盤取付枠２が開放できるようになる。この際、図１１鎖線に示すように、ロック部材８３後端の鉤片８３ａとスライド部材９１先端の鉤部９１ａとは外れており（ロック部材８３後端の鉤片８３ａがスライド部材９１先端の鉤部９１ａより下方に位置する。）、その遊技盤取付枠２の開放動作に支障を来たす恐れはない。
【００３５】
また逆に、開放された遊技盤取付枠２を閉じる場合は、前面枠１７と共に遊技盤取付枠２をそのまま機枠１側へ押し付ける。これにより、前記後向係止片４３，４７がそれぞれ各掛止片１５に下側から自動的に係合し、遊技盤取付枠２が機枠１に施錠され閉じることになる。この際、前記と同様にロック部材８３後端の鉤片８３ａとスライド部材９１先端の鉤部９１ａとが当接するが、ロック部材８３の鉤片８３ａは圧縮コイルバネ１０１の付勢に抗して逃げるように回動するので、互いに通過した後に鉤片８３ａが圧縮コイルバネ１０１の付勢により元の位置に復帰してスライド部材９１の鉤部９１ａと噛み合うことになる。よって、その遊技盤取付枠２を閉じる動作に支障を来たす恐れはない。また、遊技盤取付枠２を開放したときは、その状態で遊技盤取付枠の施錠装置２１から後方へ突出する手動摘み５０を摘んで手操作杆２７を上下動させることにより、各前向係止片２８，３３や後向係止片４３，４７を作動させることができ、そのまま前面枠１７を開放させることもでき至便である。
【００３６】
そこで、遊技盤取付枠２や前面枠１７が正常に施錠されている状態で、図９に示すように遊技者がバールのような工具で前面枠１７を故意に抉じ開けて不正行為を行おうとした場合、前面枠１７が前側特に開放側が開くと、ロック部材８３が前方へ移動し同時にスライド部材９１が前方へ引かれる。これに伴い、スライド部材９１における検知板９１ｂが近接スイッチ８９から前側へ離れてその間の間隔が広くなる。これを近接スイッチ８９が検出してその信号をホールコンピュータに送信する。これにより、該パチンコ遊技機Ｐで不正行為が行なわれているのを発見でき、不正行為に対する処置が迅速に行なえる。なお、球詰まりといったトラブル解消のため従業員が正常に前面枠１７を開放するときは、鍵穴６２に鍵８２を差し込み該鍵８２を反時計回り方向へ回動するが、この際、前面枠の施錠装置２２における可動部材６６が上動し、これに伴いロック部材８３も上動してその鉤片８３ａがスライド部材９１の鉤部９１ａよりも上方へ離れる。よって、そのまま前面枠１７を開放してもロック部材８３とスライド部材９１とが噛み合うことはない。しかも、スライド部材９１は引っ張りコイルバネ９２の付勢によってそのままの位置で停止しており、近接スイッチ８９の検知部８９ａと検出板９１ｂとの間隔は変わらないから、近接スイッチ８９が検知することはなく、その前面枠１７の開放動作が誤って不成行為と判断されることはない。
【００３７】
このように、本発明は、前面枠１７を正常に開錠して開けるときカム部材６５の回動動作によりロック部材８３とスライド部材９１との噛み合いが外れ、前面枠１７を不正に開けるときはスライド部材９１がロック部材８３と噛み合ったまま引かれ該スライド部材９１の摺動動作が近接スイッチ８９により検出されるようにしたので、不正行為により前面枠１７が開放されたときのみその前面枠１７の開放動作が検知される。同様に、不正行為を行なうべく遊技盤取付枠２を故意に開放しようとしても、遊技盤取付枠２が閉められた常態では、ロック部材８３の鉤片８３ａとスライド部材９１の鉤部９１ａは噛み合っているので、その故意による遊技盤取付枠２の開放動作は前記と同様に検出され、その信号がホールコンピュータに送信される。このように、不正による遊技盤取付枠２の開放動作も検出される。また、シリンダー錠６１に鍵８２を差し込んで前面枠１７を開放しない限り、前面枠１７の後側に設けられたロック部材８３と機枠１に設けられたスライド部材９１とは噛み合っているので、不正行為を行うべく前面枠１７を故意に開放しようとしてもロック部材８３とスライド部材９１が支えて容易に開放できない。よって、これにより不正行為が直接行なわれることも防止される。
【００３８】
本発明にあっては、検知手段として近接スイッチ８９を挙げたが、これに限定されるものではなく、例えば投光部と受光部を備えた検出器など他の検出手段であっても良い。またこの際、保持枠８８や近接スイッチ８９を機枠１の内面に設けたが、遊技盤取付枠２側に設けるようにしても良く、要は遊技機本体Ｐ１側で有れば良い。また、シリンダー錠６１も前面枠１７側に設けたが遊技盤取付枠２側に設けても良い。
【符号の説明】
【００３９】
１７            前面枠
６１            シリンダー錠
６４            錠軸
６５            カム部材
８３            ロック部材
８９            検出手段（近接スイッチ）
９１            スライド部材
Ｐ              遊技機（パチンコ遊技機）
Ｐ１            遊技機本体
【図１】
2010200834.tif 000003
【図２】
2010200834.tif 000004
【図３】
2010200834.tif 000005
【図４】
2010200834.tif 000006
【図５】
2010200834.tif 000007
【図６】
2010200834.tif 000008
【図７】
2010200834.tif 000009
【図８】
2010200834.tif 000010
【図９】
2010200834.tif 000011
【図１０】
2010200834.tif 000012
【図１１】
2010200834.tif 000013